(57)【要約】本発明は、便迂回のための医療用腸管管理器を提供する。本発明に係る腸管管理器は、上端に管体部が形成された細長いチューブと；前記管体部の外周面に上下に２つ構成され、それらの間に結合部を形成する固定用バルーンと；前記管体部の内周面に構成されたチューブ開閉用バルーンと；からなる。また、治療液がチューブ外側に供給されて腸管内の吻合部位を治療できるように、管体部の下方に治療液注入のための注入管が構成される。本発明に係る腸管管理器は、腸管内に挿入された状態で、固定用バルーンの間に構成された結合部に、腸管の外側から固定用バンドを嵌めることによって腸管内に固定される。
2005519709.tif 000002
【特許請求の範囲】
【請求項１】
上端に管体部が形成された細長いチューブと；
前記管体部の外周面に上下に２つ構成され、それらの間に結合部が形成される固定用バルーンと；
前記管体部の内周面に構成されたチューブ開閉用バルーンと；を含めて構成されることを特徴とする腸管手術患者の便迂回のための医療用腸管管理器。
【請求項２】
治療液がチューブ外側に供給されて腸管内の吻合部位を治療できるように、管体部の下方に、治療液注入のための注入管が少なくとも一つ構成されることを特徴とする請求項１に記載の腸管手術患者の便迂回のための医療用腸管管理器。
【請求項３】
腸管管理器が腸管内に挿入された状態で、固定用バルーンの間に構成された結合部に、腸管の外側から固定用バンドを嵌めて腸管管理器が腸管内に固定されるようにすることを特徴とする請求項１に記載の腸管手術患者の便迂回のための医療用腸管管理器。
【発明の詳細な説明】
【技術分野】
【０００１】
本発明は、腸管(直腸、大腸など)手術患者の便迂回のための医療用直腸管理器に関する。特には、大腸あるいは直腸の切除手術後に、大腸や直腸の吻合（ふんごう）部位にて液やガス漏れの可能性が疑われる場合において、腸管の吻合部位の上方に設置して便が吻合部位と接触することなく排泄されるようにすることにより、吻合部位が保護されるようにするとともに、優れた安全性と装着の容易性を提供する他、施術者が希望する期間だけ自由に取付及び取外しを可能にする、手術患者の便迂回のための医療用直腸管理器に関する。
【背景技術】
【０００２】
一般に、大腸あるいは直腸の切除手術後に、大腸や直腸の吻合部位に液やガス漏れの可能性が疑われる場合、その予防のために腹部人工肛門を造設して便を迂回させている。特に、この腹部人工肛門は、体力の弱った人や老人、手術前に放射線治療を受けた患者に適用されており、先進国で多く施されている。一方、吻合部における液やガス漏れは極めて危険な状況であって、訴訟につながることも多かった。
【０００３】
これを避け得る対策の一つに、一時的(一過性)腹部人工肛門造設術がある。しかし、このような一時的腹部人工肛門を造設する場合、それが除去されるまでは少なくとも２〜３ケ月もかかるし、患者の約３０〜６０％では除去されずに一生を終えることもある。これは、人工肛門除去時にも再び手術を受けなければならないが、体力の弱った人々は体力的な限界により再び手術を受けることができないためである。
【０００４】
そこで、最近では新しい方法による排便装置が提案された。この装置は、薄い弾力性防水素材から造ったチューブを、吻合部位の上方約５〜１０cmの位置にて、糸で腸内壁と縫合し、排泄される便が腸管の吻合部位と直接接触しないようにしたものである。
【０００５】
しかし、このような構成を有する排便装置(Colon Shield:コロンシールド)もまた、下記のような問題から広く使用されていないのが現状である。
【０００６】
まず、ビニールチューブを腸内壁に縫合する作業が容易でなく、その作業に時間がかかる。また、特には、腸内壁に縫合した薄いチューブが常に完全に縫合された状態のまま保たれる可能性は極めて少ないために、使用上の安全性が疑われている。
【０００７】
さらには、前記排便装置に使用される薄いチューブは、概して５〜１０日間で自然に腸内壁から外れ、その除去は容易であるものの、望む時間だけ便を迂回させることは期待し難い。
【特許文献１】英国特許公開GB2243553A
【特許文献２】米国特許US5443445A
【特許文献３】米国特許US4676778A
【発明の開示】
【発明が解決しようとする課題】
【０００８】
本発明は、上記の従来の諸問題点に鑑みてなされたものであり、大腸や直腸の切除手術を受けた患者にとって便が吻合部位に直接触れずに排泄されるようにするとともに、安全性と装着性に優れたものとし、且つ、排便装置を施術者の希望する期間だけ自由に取付／取外しが可能となるようにした、腸管手術患者の便迂回のための医療用腸管管理器を提供することにその目的がある。
【課題を解決するための手段】
【０００９】
上記の目的を達成するために、本発明は、排便装置を構成した後、その排便装置を大腸や直腸の切除手術を受けた患者の腸管内部に設置して使用できるようにする。
【００１０】
つまり、人体に無害ながらも曲げ自在な素材を利用してチューブを構成するものの、チューブ上端の管体部の外周面に固定用バルーンを上下に二つ構成し、それらの間に結合部が構成されるようにし、また、チューブ上端の管体部内周面には管体開閉用バルーンを構成する。
【００１１】
前記固定用バルーンと開閉用バルーンは、通常の空気注入管を通じて開閉可能となるように構成し、前記チューブ内には多数の注入管を連結構成することによって、前記注入管を通じて浣腸液や吻合部位を消毒するための抗生剤溶液を投入できるようにする。
【００１２】
このように構成された排便装置を患者の腸管内に挿入し、チューブ上端に構成された固定用バルーンに空気を注入して膨脹させた後、腸管の外側から固定用バンドを使って固定させて使用するといいが、便抑制時にはチューブ開閉用バルーンに空気を注入し膨脹させて使用し、排便時にはチューブ開閉用バルーンに注入された空気を抜けてチューブ上端に構成された管体部が開放されるようにし、便が腸管の吻合部位と接触することなくチューブを通じて外部に排泄されるようにする。
【００１３】
尚、本発明に係る腸管管理器は、患者の肛門部位に別途施術される人工肛門に装着して使用してもいい。
【発明を実施するための最良の形態】
【００１４】
以下、本発明の実施例を添付図面を参照しつつ詳細に説明する。
【００１５】
図１は、本発明に係る便迂回のための医療用腸管管理器２の断面図であり、この医療用腸管管理器２は、人体に無害ながらも、柔軟で曲げ自在な素材を使ってチューブ４を細長く構成し、前記チューブ４の上端には管体部６を構成してなる。
【００１６】
前記管体部６の外周面には上下に固定用バルーン８、１０を構成してそれらの間に結合部１２が形成されるようにし、内周面にはチューブ開閉用バルーン１４を設ける。これらバルーンはいずれも空気注入管１６、１８を通じて注入または排出される空気により膨脹または収縮されるように構成されている。
【００１７】
前記医療用腸管管理器２の構成において、固定用バルーン８、１０やチューブ開閉用バルーン１４に対して空気を注入または排出して膨脹または収縮させる構成、及び浣腸液注入のための注入管２０の構成は、本発明者が先出願して登録した大韓民国実用新案公告第９７−２８９８号の“医療用人工肛門管理器”の構成と同様にすればいい。
【００１８】
つまり、空気注入管１６、１８を通じてチューブ開閉用バルーン１４と固定用バルーン８、１０に対してそれぞれ空気を注入または排出するように構成し、それらの間には浣腸液注入のための注入管２０を構成し、また、前記注入管２０の上端には逆流防止のための開閉手段を設けるといい。
【００１９】
また、チューブ４の一側には他の別個の注入管２２を構成する。注入管２２の入口２４がチューブ４の外と通じるようにして、抗生剤などの治療溶液や、吻合部位の安全性を確認する上で必要な造影剤を腸管内に注入できるように構成するのである。
【００２０】
上記のような構成の腸管管理器２は、大腸２６や直腸２８などの腸管切除手術後の吻合（ふんごう）部３０における液やガス漏れの可能性が疑われる患者に適用される。
【００２１】
すなわち、管体部６の外周面の上下に構成された固定用バルーン８、１０から空気を完全に抜いた後、医療用腸管管理器２を、肛門３４を通じて大腸２６内に押込むことにより、腸管管理器２の管体部６に構成された固定用バルーン８、１０が吻合部３０の上部に位置するようにする。
【００２２】
この状態で、図５に示すように、空気注入管１８を通じて固定用バルーン８、１０に空気を注入し膨脹させた後、大腸２６の外側部から固定用バンド３２を結合部１２に圧着させることによって腸管管理器２が大腸２６内に固設されるようにする。ここで、腸管管理器２は、管体部６の外周面にて膨脹した上下固定用バルーン８、１０により、大腸２６から外れないように固定される。
【００２３】
また、腸管管理器２を大腸２６内に固定させるための手段である固定用バンド３２は、比較的緩く締め付けるのが良いが、膨脹された固定用バルーン８、１０が大腸２６から外れない程度であれば良い。この固定用バンド３２の素材は、体内で吸収可能な素材であって、約１ヶ月ほど強度を維持できるものであればいい。
【００２４】
この状態で、空気注入管１６を通じてチューブ開閉用バルーン１４に空気を注入すると、図６に示すようにチューブ開閉用バルーン１４が膨脹して管体部６を閉鎖し、これにより、便は、腸管管理器２の上方に留め置かれる。
【００２５】
その後、便を排泄させたい場合には、チューブ開閉用バルーン１４に注入された空気を排出させる。すなわち、チューブ開閉用バルーン１４に注入された空気を抜くと、図５のように管体部６が開放され、便は大腸２６の吻合部３０に直接触れることなくチューブ４を通じて外部に排泄される。その結果、吻合部位を保護することができる。
【００２６】
場合によっては、注入管２０を通じて浣腸液などを注入して腸を洗浄したり、チューブの内部を洗浄することができる。また、他の注入管２２を通じて、抗生剤などの治療液を注入してチューブ４の外側に排出させることにより、大腸２６内の吻合部３０を消毒したり治療したりすることができる。
【００２７】
使用中、腸管管理器２を大腸２６から分離したい場合には、管体部６の外周面に構成されたバルーン８、１０に注入されていた空気を抜き、固定用バンド３２から外れるようにする。そして、引き続いてチューブ４を引くことで大腸２６から簡単に腸管管理器２を取り出す。腸管管理器２は、このように、いつでも容易に取り去ることができる。
【００２８】
この際、大腸２６の外周面に残留する固定用バンド３２は、時間の経過とともに吸収されるので、何ら問題にもならない。
【００２９】
尚、本発明に係る医療用腸管管理器は、患者の肛門部位に造設される人工肛門に装着して使用しても良い。
【産業上の利用可能性】
【００３０】
以上の如く構成された本発明の腸管管理器は、大腸あるいは直腸の切除手術後に、吻合部位からの液やガス漏れの可能性が疑われる患者における腸管の吻合部の上方に設置される。そのため、便が吻合部位と接触することなくチューブを通じて排泄され、その結果、吻合部位を有効に保護できる。また、設置と除去が迅速且つ容易となり、使用上便利である。
【図面の簡単な説明】
【００３１】
【図１】本発明に係る腸管管理器の概略的な断面構成図。
【図２】本発明に係る腸管管理器の拡大断面構成図。
【図３】本発明の腸管管理器が腸管内に結合された状態を示す図。
【図４】図３の状態でチューブ開閉用バルーンを膨脹させた状態を示す図。
【図５】本発明の腸管管理器が適用された状態の例示図。
【図６】図５の状態でチューブ開閉用バルーンを膨脹させた状態を示す図。
【符号の説明】
【００３２】
２：腸管管理器                    ４：チューブ
６：管体部                        ８、１０：固定用バルーン
１２：結合部                      １４：チューブ開閉用バルーン
１６、１８：空気注入管            ２０、２２：注入管
２４：入口                        ２６：大腸
２８：直腸                        ３０：吻合（ふんごう）部
３２：固定用バンド                ３４：肛門
【図１】
2005519709.tif 000003
【図２】
2005519709.tif 000004
【図３】
2005519709.tif 000005
【図４】
2005519709.tif 000006
【図５】
2005519709.tif 000007
【図６】
2005519709.tif 000008
【国際調査報告】
2005519709.tif 000009
2005519709.tif 000010